(57)【要約】【課題】  ＩＣカードや磁気カード等を導入する企業、団体等がカードプリンタなどを購入するための初期投資をする必要がなく、また、カード（素材となる生カード）や消耗品／消耗部品などの受発注業務等を行うことを要しない、カード発行システム、方法、及び、プログラムを提供する。【解決手段】  カードサービス業者２００は、客先（カード発行企業）１００にカードプリンタ１０６やカード発行管理サーバ１１０等を無償で貸与する。カード発行管理サーバ１１０では、カードプリンタ１０６によるカード発行情報を、カードサービス業者１００のカード発行システム管理サーバ２０１に通知する。カード発行システム管理サーバ２０１は、カードプリンタ１０６で発行されたカードの種類や枚数に応じた発行費用の課金金額を算出し、請求処理を行い、請求報告をカード発行管理サーバ１１０に通知する。【選択図】  図１
2005276087.tif 000002
【特許請求の範囲】
【請求項１】
カードプリンタと、カードプリンタによるカードの発行を管理するカード発行管理サーバを有するカード発行システムであって、
ユーザ端末からのカード発行の申し込みを受け付けるカード発行申込受付手段と、
カードプリンタで発行した発行カード枚数に関する情報を、当該カード発行システムを管理するカードサービス業者のサーバに通知するカード発行情報通知手段と、
前記発行カード枚数の情報に基づく課金情報を、前記カードサービス業者のサーバから受信する課金情報受信手段と
を備えることを特徴とするカード発行システム。
【請求項２】
カードプリンタと、カードプリンタによるカード発行を管理するカード発行管理サーバを有するカード発行システムであって、
ユーザ端末からのカード発行の申し込みを受け付けるカード発行申込受付手段と、
予め保持するカードの枚数を記憶する保持カード枚数記憶手段と、
カードプリンタが印刷を行ったカード枚数を計数する印刷カード枚数計数手段と、
カード印刷の良否判定により良と判定されて発行されたカード枚数を計数する発行カード枚数計数手段と、
前記保持カード枚数、前記印刷カード枚数、および前記発行カード枚数の情報を、当該カード発行システムを管理するカードサービス業者のサーバに通知するカード発行情報通知手段と、
前記発行カード枚数に基づく課金情報を、前記カードサービス業者のサーバから受信する課金情報受信手段と
を備えることを特徴とするカード発行システム。
【請求項３】
前記カード発行システムから、当該カード発行システムを管理するカードサービス業者のサーバに対して、
カードプリンタ及びカード発行管理サーバにおける故障情報を含む稼動状態の情報を通知する稼動状態通知手段と、
消耗品の残量の情報を含むカードプリンタの保守に必要な情報を通知する保守情報通知手段と
を備えることを特徴とする請求項１または請求項２に記載のカード発行システム。
【請求項４】
カードプリンタと、カードプリンタによるカードの発行を管理するカード発行管理サーバを有するカード発行システムにおけるカード発行方法であって、
ユーザ端末からのカード発行の申し込みを受け付けるカード発行申込受付手順と、
カードプリンタで発行した発行カード枚数に関する情報を、当該カード発行システムを管理するカードサービス業者のサーバに通知するカード発行情報通知手順と、
前記発行カード枚数の情報に基づく課金情報を、前記カードサービス業者のサーバから受信する課金情報受信手順と
を含むことを特徴とするカード発行方法。
【請求項５】
カードプリンタと、カードプリンタによるカード発行を管理するカード発行管理サーバを有するカード発行システムにおけるカード発行方法であって、
ユーザ端末からのカード発行の申し込みを受け付けるカード発行申込受付手順と、
予め保持するカードの枚数を記憶する保持カード枚数記憶手順と、
カードプリンタが印刷を行ったカード枚数を計数する印刷カード枚数計数手順と、
カード印刷の良否判定により良と判定されて発行されたカード枚数を計数する発行カード枚数計数手順と、
前記保持カード枚数、前記印刷カード枚数、および前記発行カード枚数の情報を、当該カード発行システムを管理するカードサービス業者のサーバに通知するカード発行情報通知手順と、
前記発行カード枚数に基づく課金情報を、前記カードサービス業者のサーバから受信する課金情報受信手順と
を含むことを特徴とするカード発行方法。
【請求項６】
前記カード発行システムから、当該カード発行システムを管理するカードサービス業者のサーバに対して、
カードプリンタ及びカード発行管理サーバにおける故障情報を含む稼動状態の情報を通知する稼動状態通知手順と、
消耗品の残量の情報を含むカードプリンタの保守に必要な情報を通知する保守情報通知手順と
を含むことを特徴とする請求項４または請求項５に記載のカード発行方法。
【請求項７】
カードプリンタと、カードプリンタによるカードの発行を管理するカード発行管理サーバを有するカード発行システムにおける前記カード発行管理サーバ内のコンピュータに、
ユーザ端末からのカード発行の申し込みを受け付けるカード発行申込受付手順と、
カードプリンタで発行した発行カード枚数に関する情報を、当該カード発行システムを管理するカードサービス業者のサーバに通知するカード発行情報通知手順と、
前記発行カード枚数の情報に基づく課金情報を、前記カードサービス業者のサーバから受信する課金情報受信手順と
を実行させるためのプログラム。
【発明の詳細な説明】
【技術分野】
【０００１】
本発明は、ＩＣカードや磁気カード（単に、「カード」ともいう）等に印刷を行いカードを発行するための、カード発行システム、カード発行方法、及びプログラムに関し、特に、ＩＣカードや磁気カード等を導入する企業、団体等がカードプリンタを購入するための初期投資をする必要がなく、また、カード（素材となる生カード）や消耗品（インクリボンなど）などの発注業務などを行うことを要しない、カード発行システム、カード発行方法、及びプログラムに関するものである。
【背景技術】
【０００２】
近時、磁気カードのみならずＩＣカードの普及が著しく、金融機関、交通機関などを代表として、各企業、団体などでＩＣカードを発行することが多くなってきた。
【０００３】
各企業、団体などでＩＣカードを発行する場合、従来は、生カード（無地の素材となるカード）、カード発行システム（カードプリンタやカード発行管理サーバなど）、消耗品等を、カードサービス業者（カード印刷会社など）から資産として購入し、各企業、団体が独自にＩＣカードを発行し運用していた。
【０００４】
しかしながら、このような運用方法では、ＩＣカードを発行する各企業、団体等では、予め、カード発行システムを新規購入しその後、発行予定の数量に見合った生カード、消耗品（インクリボンなど）等をカードサービス業者から都度購入していた。その際には、カードや消耗品を客先に納入するサービスがあるが、カードサービス業者と各企業、団体等との間で受発注業務が都度発生していた。
【０００５】
また、ＩＣカードを発行する各企業、団体等では、カード発行システムを固定資産として購入しなければならないため、カード発行システムの原価償却とオペレータの人件費を考慮した運用計画を立てる必要があった。そのため、顧客サービスなどのためにＩＣカードを導入したいと考える企業等であっても、経費の点で導入を見送るケースが多々あった。
【０００６】
このように、ＩＣカードを発行するには、高価なカード発行システムを購入するなどの初期投資が必要になるが、この初期投資を避け、客先の企業等の負担を軽減するビジネス手法として、コピー機のように客先に貸与し、使用したコピー枚数に応じて課金する方法が使用されている。また、コンビニエンスストアなどに設置されたコピー機などでは、コインラックと連動させ、コピーサービスの種類と、枚数に応じて課金するシステムが採用されている（例えば、特許文献１参照）。
【特許文献１】特開２０００−２０６８４５号公報
【発明の開示】
【発明が解決しようとする課題】
【０００７】
上述したように、ＩＣカードを発行する各企業、団体等では、カード発行システムを固定資産として購入しなければならないため、カード発行システムの原価償却とオペレータの人件費を考慮した運用計画を立てる必要があった。また、カードサービス業者による、カードや消耗品等を客先に納入するサービスがあるが、カードサービス業者と客先（カード発行企業等）との間で受発注業務を行なわないと、カードや消耗品の補充ができず、カードサービス業者および客先の両方とって面倒な作業となっていた。また、客先（カード発行企業）にカード発行システムを貸与したとしても、利用されたカードが何枚で、リベート（発行カード枚数に対する課金額）がいくらなのかを客先からの通知がないと分からない（カードプリンタでプリントされて不良となったカードについては課金しないので、実際に何校のカードが発行できたのかを業者では把握しにくかった）などの問題があった。
【０００８】
本発明はこのような問題を解決するためになされたもので、その目的は、ＩＣカードや磁気カードを導入する企業、団体等がカード発行システム（カードプリンタやカード発行管理サーバなど）を購入するための初期投資をする必要がなく、また、カードサービス業者と客先（カード発行企業）との間で、カード（素材となる生カード）、消耗品、又は、消耗部品などの受発注業務等を行うことを要しない、カード発行システム、カード発行方法、及びプログラムを提供することにある。
【課題を解決するための手段】
【０００９】
本発明は、上記課題を解決するためになされたものであり、本発明のカード発行システムは、カードプリンタと、カードプリンタによるカードの発行を管理するカード発行管理サーバを有するカード発行システムであって、ユーザ端末からのカード発行の申し込みを受け付けるカード発行申込受付手段と、カードプリンタで発行した発行カード枚数に関する情報を、当該カード発行システムを管理するカードサービス業者のサーバに通知するカード発行情報通知手段と、前記発行カード枚数の情報に基づく課金情報を、前記カードサービス業者のサーバから受信する課金情報受信手段とを備えることを特徴とする。
【００１０】
また、本発明のカード発行システムは、カードプリンタと、カードプリンタによるカード発行を管理するカード発行管理サーバを有するカード発行システムであって、ユーザ端末からのカード発行の申し込みを受け付けるカード発行申込受付手段と、予め保持するカードの枚数を記憶する保持カード枚数記憶手段と、カードプリンタが印刷を行ったカード枚数を計数する印刷カード枚数計数手段と、カード印刷の良否判定により良と判定されて発行されたカード枚数を計数する発行カード枚数計数手段と、前記保持カード枚数、前記印刷カード枚数、および前記発行カード枚数の情報を、当該カード発行システムを管理するカードサービス業者のサーバに通知するカード発行情報通知手段と、前記発行カード枚数に基づく課金情報を、前記カードサービス業者のサーバから受信する課金情報受信手段とを備えることを特徴とする。
【００１１】
また、本発明のカード発行システムは、前記カード発行システムから、当該カード発行システムを管理するカードサービス業者のサーバに対して、カードプリンタ及びカード発行管理サーバにおける故障情報を含む稼動状態の情報を通知する稼動状態通知手段と、消耗品の残量の情報を含むカードプリンタの保守に必要な情報を通知する保守情報通知手段とを備えることを特徴とする。
【００１２】
また、本発明のカード発行方法は、カードプリンタと、カードプリンタによるカードの発行を管理するカード発行管理サーバを有するカード発行システムにおけるカード発行方法であって、ユーザ端末からのカード発行の申し込みを受け付けるカード発行申込受付手順と、カードプリンタで発行した発行カード枚数に関する情報を、当該カード発行システムを管理するカードサービス業者のサーバに通知するカード発行情報通知手順と、前記発行カード枚数の情報に基づく課金情報を、前記カードサービス業者のサーバから受信する課金情報受信手順とを含むことを特徴とする。
【００１３】
また、本発明のカード発行方法は、カードプリンタと、カードプリンタによるカード発行を管理するカード発行管理サーバを有するカード発行システムにおけるカード発行方法であって、ユーザ端末からのカード発行の申し込みを受け付けるカード発行申込受付手順と、予め保持するカードの枚数を記憶する保持カード枚数記憶手順と、カードプリンタが印刷を行ったカード枚数を計数する印刷カード枚数計数手順と、カード印刷の良否判定により良と判定されて発行されたカード枚数を計数する発行カード枚数計数手順と、前記保持カード枚数、前記印刷カード枚数、および前記発行カード枚数の情報を、当該カード発行システムを管理するカードサービス業者のサーバに通知するカード発行情報通知手順と、
前記発行カード枚数に基づく課金情報を、前記カードサービス業者のサーバから受信する課金情報受信手順とを含むことを特徴とする。
【００１４】
また、本発明のカード発行方法は、前記カード発行システムから、当該カード発行システムを管理するカードサービス業者のサーバに対して、カードプリンタ及びカード発行管理サーバにおける故障情報を含む稼動状態の情報を通知する稼動状態通知手順と、消耗品の残量の情報を含むカードプリンタの保守に必要な情報を通知する保守情報通知手順とを含むことを特徴とする。
【００１５】
また、本発明のコンピュータプログラムは、カードプリンタと、カードプリンタによるカードの発行を管理するカード発行管理サーバを有するカード発行システムにおける前記カード発行管理サーバ内のコンピュータに、ユーザ端末からのカード発行の申し込みを受け付けるカード発行申込受付手順と、カードプリンタで発行した発行カード枚数に関する情報を、当該カード発行システムを管理するカードサービス業者のサーバに通知するカード発行情報通知手順と、前記発行カード枚数の情報に基づく課金情報を、前記カードサービス業者のサーバから受信する課金情報受信手順とを実行させるためのプログラムである。
【発明の効果】
【００１６】
本発明のカード発行システムにおいては、ユーザ端末からのカード発行の申し込みを受け付け、カードプリンタでカードを発行し、発行したカード枚数に関する情報を、カード発行システムを管理するカードサービス業者のサーバに通知する。そして、カードサービス業者のサーバから、発行カード枚数に応じて課金された課金情報を受信する。
これにより、客先（カード発行企業）のカード発行システムと、カードサービス業者のサーバとが連携し、カードサービス業者のサーバが、客先（カード発行企業）で発行したカードの種類及び数量に基づき、それに見合った請求金額をオンラインで算出し、例えば、月末などに課金と請求をオンラインで自動的に処理することができる。このため、カードサービス業者が客先（カード発行企業）にカード発行システムを無償で貸与するシステムを構築できる。すなわち、客先（カード発行企業）ではカード発行システムを購入するための初期投資をする必要がなくなり、ＩＣカードなどの利用を促進できる。
【００１７】
また、本発明のカード発行システムにおいては、ユーザ端末からのカード発行の申し込みを受け付け、カードプリンタでカードを発行する。また、カードプリンタで予め保持するカード枚数と、カードプリンタが印刷したカード枚数と、カード印刷の良否判定により良と判定されたカード枚数を、カード発行システムを管理するカードサービス業者のサーバに通知する。そして、して、カードサービス業者のサーバから、正常に発行されたカードの種類と枚数に応じて課金された課金情報を受信する。
これにより、カードサービス業者のサーバでは、客先（カード発行企業）で正常に発行されたカードの種類及び数量に基づき、それに見合った請求金額をオンラインで算出し、例えば、月末などに課金と請求をオンラインで自動的に処理することができる。このため、カードサービス業者が客先（カード発行企業）にカード発行システムを無償で貸与するシステムを構築できる。すなわち、客先（カード発行企業）ではカード発行システムを購入するための初期投資をする必要がなくなり、ＩＣカードなどの利用を促進できる。
また、カードプリンタで予め保持するカード枚数、発行カード枚数、正常に発行されたカード枚数の情報から、客先で保持していなければならないカードの枚数を把握でき、保守の際に、カードの補充をしなければならない枚数を容易にサービス業者が把握できる。また、発行カード枚数、正常に発行されたカード枚数の情報から、カードサービス業者は、不良となったカードの数を把握できるので、カード発行システムの保守が必要か否かを客先から連絡を受けなくても判断することができる。
【００１８】
また、本発明のカード発行システムにおいては、カード発行システムを管理するカードサービス業者のサーバに対して、カードプリンタ及びカード発行管理サーバにおける故障などの情報を通知し、また、消耗品の残量などのカードプリンタの保守に必要な情報を通知する。
これにより、客先（カード発行企業）では、カードプリンタの保守作業や、消耗品などの発注業務を行う必要がなくなる。
【００１９】
本発明のカード発行方法においては、ユーザ端末からのカード発行の申し込みを受け付け、カードプリンタでカードを発行し、発行したカード枚数に関する情報を、カード発行システムを管理するカードサービス業者のサーバに通知する。そして、カードサービス業者のサーバから、発行カード枚数に応じて課金された課金情報を受信する。
これにより、客先（カード発行企業）のカード発行システムと、カードサービス業者のサーバとが提携し、カードサービス業者のサーバが、客先（カード発行企業）で発行したカードの種類及び数量に基づき、それに見合った請求金額をオンラインで算出し、例えば、月末などに課金と請求をオンラインで自動的に処理することができる。このため、カードサービス業者が客先（カード発行企業）にカード発行システムを無償で貸与するシステムを構築できる。すなわち、客先（カード発行企業）ではカード発行システムを購入するための初期投資をする必要がなくなり、ＩＣカードなどの利用を促進できる。
【００２０】
また、本発明のカード発行方法においては、ユーザ端末からのカード発行の申し込みを受け付け、カードプリンタでカードを発行する。また、カードプリンタで予め保持するカード枚数と、カードプリンタが印刷したカード枚数と、カード印刷の良否判定により良と判定されたカード枚数を、カード発行システムを管理するカードサービス業者のサーバに通知する。そして、カードサービス業者のサーバから、正常に発行されたカードの種類と枚数に応じて課金された課金情報を受信する。
これにより、カードサービス業者のサーバでは、客先（カード発行企業）で正常に発行されたカードの種類及び数量に基づき、それに見合った請求金額をオンラインで算出し、例えば、月末などに課金と請求をオンラインで自動的に処理することができる。このため、カードサービス業者が客先（カード発行企業）にカード発行システムを無償で貸与するシステムを構築できる。すなわち、客先（カード発行企業）ではカード発行システムを購入するための初期投資をする必要がなくなり、ＩＣカードなどの利用を促進できる。
また、カードプリンタで予め保持するカード枚数、発行カード枚数、正常に発行されたカード枚数の情報から、客先で保持していなければならないカードの枚数を把握でき、保守の際に、カードの補充をしなければならない枚数を容易にサービス業者が把握できる。また、発行カード枚数、正常に発行されたカード枚数の情報から、カードサービス業者は、不良となったカードの数を把握できるので、カード発行システムの保守が必要か否かを客先から連絡を受けなくても判断することができる。
【００２１】
また、本発明のカード発行方法においては、カード発行システムを管理するカードサービス業者のサーバに対して、カードプリンタ及びカード発行管理サーバにおける故障などの情報を通知し、また、消耗品の残量などのカードプリンタの保守に必要な情報を通知する。
これにより、客先（カード発行企業）では、カードプリンタの保守作業や、消耗品などの発注業務を行う必要がなくなる。
【発明を実施するための最良の形態】
【００２２】
次に本発明を実施するための最良の形態について図面を参照して説明する。
【００２３】
図１は、本発明によるカード発行システムの概要を説明するための図である。
【００２４】
図１において、カードサービス業者２００は、ＩＣカードや磁気カード（単に「カード」ともいう）を製造販売するとともに、ＩＣカードや磁気カードへの図柄の印刷、エンボス、データの書き込みを行うカード発行システム（カードプリンタ１０６とカード発行管理サーバ１１０など）、カードプリンタの消耗品、カードプリンタの保守サービスなどを提供するサービス業者である。
【００２５】
客先（カード発行企業）１００は、例えば、銀行や生命保険会社などの金融機関であり、自社の顧客サービス用にＩＣカードや磁気カードを発行する企業である。ユーザ３００は、カード発行企業１００に依頼してカードの発行を受けるとともに、取得したカードを使用してカード発行企業１００と商取引を行うカード利用者である。
【００２６】
本発明においては、最初に、カードサービス業者２００から客先（カード発行企業）１００に、カード発行に必要なカード発行システム１０１を一式無償で貸与する。このカード発行に必要なカード発行システム１０１には、カード（生カード）１０２、カードプリンタの運用者（オペレータ）１０３、消耗品１０４、端末１０５、カード発行システム（カードプリンタ１０６とカード発行管理サーバ１１０）、および保守サービスなどが含まれる。
【００２７】
カード発行に必要なカード発行システムを無償で貸与された客先（カード発行企業）１００では、カード発行管理サーバ１１０が、ユーザ３００のユーザ端末３０１から、通信ネットワークを介して（例えば、Ｗｅｂページなどで）、カード発行の申し込みを受け付け、カードプリンタ１０６によりカードの発行を行う。
【００２８】
カードプリンタ１０６により、カード発行が行われると、カード発行管理サーバ１１０からカード発行システム管理サーバ（カードサービス業者のサーバ）２０１に、通信ネットワークを介して、「カード発行完了データ（発行したカードの種類と枚数）」を送信する。
【００２９】
カードサービス業者２００のカード発行システム管理サーバ２０１では、カード発行管理サーバ１１０から受信した「カード発行完了データ」を基に課金額を算出し、カード発行管理サーバ１１０に通知する。なお、この課金は、通常は客先（カード発行企業）１００に対して行うが、ユーザ３００に対して行うこともできる。
【００３０】
このように、カードサービス業者２００のカード発行システム管理サーバ２０１では、客先（カード発行企業）１００のカード発行管理サーバ１１０から、発行したカードの種類及び枚数の情報を受信し、それに見合った請求金額をオンラインで客先（カード発行企業）１００のカード発行管理サーバ１１０に送信する。例えば、月末に課金と請求をオンラインで自動的に処理することが可能になる。
【００３１】
以上、図１に示すカード発行システムの概要について説明したが、本発明のカード発行システムでは、さらに、以下に示す機能を付加することができる。
【００３２】
カード発行管理サーバ１１０には、カードプリンタ１０６に予め保持されたカード枚数を記憶する保持カード枚数記憶機能と、カードプリンタ１０６で印刷されたカード枚数を計数する印刷カード枚数計数機能と、正常に印刷されて発行されたカード枚数を計数するカード発行枚数計数機能とを設けることができる。
【００３３】
そして、「カード発行完了データ（発行したカードの種類と枚数）」をカード発行システム管理サーバ２０１に送信する際には、カードプリンタ１０６に予め保持されたカード枚数の情報と、印刷カード枚数の情報と、正常に印刷された発行カード枚数の情報を個々に区別して、カード発行システム管理サーバ２０１に通知する。
【００３４】
これにより、カード発行システム管理サーバ２０１では、カードプリンタ１０６に予め保持されたカード枚数の情報と、印刷カード枚数と、正常に印刷され発行カード枚数の情報を受信し、これらの情報から、カードプリンタ１０６の状態を確認し、保守が必要かどうかを判定することができる。
【００３５】
また、カード発行管理サーバ１１０に、カードプリンタ１０６及びカード発行管理サーバ１１０における故障情報を含む稼動状態の情報をカード発行システム管理サーバ２０１に通知する稼動状態通知機能と、消耗品の残量の情報を含むカードプリンタ１０６の保守に必要な情報をカード発行システム管理サーバ２０１に通知する機能を設けることもできる。
【００３６】
これにより、カード発行システム管理サーバ２０１では、カードプリンタ１０６及びカード発行管理サーバ１１０からの稼動状態や保守情報を受信し、不具合が発生していないかどうか、消耗品などの補給が必要かどうかの監視を行うことができる。
【００３７】
また、図２は、本発明のカード発行システムにおける処理の概要について説明するための図である。以下、図２を参照して、その処理の流れについて説明する。
【００３８】
最初に、カードサービス業者２００から客先（カード発行企業）１００に、生カード、消耗品、運用者（オペレータ）、端末、カードプリンタ１０６、カード発行管理サーバ１１０等を無償で貸与する（ステップＳ１）。
カード発行管理サーバ１１０に対して、ユーザ端末３０１からＷｅｂページ等で「カード発行申し込み」を行う（ステップＳ２）。
【００３９】
カード発行管理サーバ１１０では、ユーザ端末３０１からの「カード発行申し込み」を受領する（ステップＳ３）。この時、データの良否を判定する。例えば、所定の必須項目（住所、氏名、年齢、口座番号など）のデータが全部記載されているかを確認する（ステップＳ４）。データに不備があった場合は、その理由を示して返送する。
【００４０】
カード発行申し込みデータが良と判定された場合は、ユーザ端末３０１から申し込みデータを基に、カードプリンタ１０６にカードの発行を指示する（ステップＳ５）。なお、このカードプリンタ１０６へのカード発行指示は、客先（カード発行企業）１００の社員、または運用者（カードサービス業者２００から派遣されたオペレータ）が行うようにしてもよい。
【００４１】
カードプリンタ１０６からカードが発行されると（ステップＳ６）、発行されたカードの検査を行う（ステップＳ７）。印刷エラーがあった場合は、再度カード発行を行う。なお、この印刷エラーの検査は、運用者（カードサービス業者から派遣されたオペレータ）が行うようにしてもよい。
【００４２】
印刷エラーがなかった場合は、カード発行管理サーバ１１０は、必要な枚数の印刷を印刷したかを確認し、発行完了したカードの種類と数量を含む「カード発行完了データ」を、「処理完了報告」として、カードサービス業者２００のカード発行システム管理サーバ（カードサービス業者のサーバ）２０１に送信する（ステップＳ８）。なお、この「カード発行完了データ」には、カードプリンタに予め保持されたカード枚数、印刷したカード枚数、正常に印刷され発行された発行カード枚数の情報が含まれる。
【００４３】
そして、ユーザ３００に、発行完了したカードを発送する（ステップＳ９）。ユーザ３００はカードを受領し（ステップＳ１０）、ユーザ端末３０１から、受領報告をカード発行管理サーバ１１０に送信する。
【００４４】
カードサービス業者２００のカード発行システム管理サーバ２０１は、カード発行管理サーバ１１０から送信された「処理完了報告（発行完了済みデータ）」を受信する。また、受信した「発行完了済みデータ」を基に、カード発行管理サーバ１１０に対する課金額を算出する（ステップＳ１１）。また、算出した課金額による請求処理を行う（ステップＳ１２）。
【００４５】
また、請求処理の合否判定を行い（ステップＳ１３）、請求処理に不備があった場合には、客先（カード発行企業）１００のカード発行管理サーバ１１０に通知する。請求処理が適正と判定された場合は、客先（カード発行企業）１００の指定口座から請求処理した課金額を自動引き落とすように銀行に通知し(ステップＳ１４)、その請求データを請求報告として客先のカード発行管理サーバ１１０に送信する。
【００４６】
客先（カード発行企業）１００のカード発行管理サーバ１１０は、請求報告データを受信し（ステップＳ１５）、必要な場合には、ユーザ３００にカード発行費用を請求する（ステップＳ１６）。
【００４７】
以上のようにして、カードサービス業者のカード発行システム管理サーバ２０１では、客先（カード発行企業）１００のカードプリンタ１０６で発行されたカードの種類と枚数に応じて、課金を行うことができる。また、カード発行管理サーバ１１０から通知された保持枚数のデータによる在庫管理情報を取得し、カードの補充が必要かどうかを判断できる。また、印刷不良のカード枚数によりプリンタの状態を判断し、カードプリンタの修理、調整などの保守が必要かどうかを判断することができる。
【００４８】
また、図３は、カード発行管理サーバ１１０とカード発行システム管理サーバ２０１の構成例を示し、本発明に直接関係するものを示したものである。
【００４９】
カード発行管理サーバ１１０は、全体を制御する制御部１１１、通信ネットワーク１とサーバ１１０を接続する通信用インタフェース１１２、及び処理プログラム部１２０を有している。
【００５０】
また、処理プログラム部１２０には、以下の処理部が含まれている。
保持カード枚数記憶処理部（保持カード枚数記憶手段）１２１は、カードプリンタ１０６に予め保持（セット）されたカード枚数を検出し、データベース１３０に記録する処理を行う。
【００５１】
印刷カード枚数計数処理部（印刷カード枚数計数手段）１２２は、カードプリンタ１０６で印刷したカード枚数を計数し、データベース１３０に記録する処理を行う。
発行カード枚数計数処理部（発行カード枚数計数手段）１２３は、カードプリンタ１０６で印刷されたカードについて、印刷状態の合否判定を行い、正常に印刷されたカード枚数を計数し、データベース１３０に記録する処理を行う。
【００５２】
カード発行情報通知処理部（カード発行情報通知手段）１２４は、データベース１３０に記録された、保持カード枚数、印刷カード枚数、正常された発行カード枚数などの情報を、「カード発行完了済みデータ」として、カードサービス業者のカード発行システム管理サーバ２０１に通知する処理を行う。
【００５３】
課金情報受信処理部（課金情報受信手段）１２５は、カードサービス業者のカード発行システム管理サーバ２０１から、「発行完了済みデータ」に基づいた課金情報（例えば、請求金額の情報など）を受信し、データベース１３０に記録する処理を行う。
【００５４】
カード発行申込受付処理部（カード発行申込受付手段）１２６は、通信ネットワーク１上にＷｅｂページを公開し、このＷｅｂページを通して、ユーザ端末３０１からのカード発行申込の受付処理を行う。
【００５５】
カードプリンタ制御処理部１２７は、ユーザ端末３０１からのカード発行申込データを基に、カードプリンタ１０６に印刷を指示する処理を行う。また、カードプリンタ１０６に不具合が発生していないかなど、カードプリンタ状態を監視する処理も行う。
【００５６】
稼動状態通知処理部（稼動状態通知手段）１２８は、カードプリンタ及びカード発行管理サーバにおける故障情報を含む稼動状態の情報をカード発行システム管理サーバ２０１に通知する処理を行う。
【００５７】
保守情報通知処理部（保守情報通知手段）１２９は、消耗品の残量の情報を含むカードプリンタの保守に必要な情報をカード発行システム管理サーバ２０１に通知する処理を行う。
【００５８】
なお、この処理プログラム部１２０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００５９】
また、カード発行システム管理サーバ２０１は、サーバ全体を制御する制御部２０２、通信ネットワーク１とサーバ２０１を接続する通信用インタフェース２０３、及び処理プログラム部２１０を有している。
【００６０】
また、処理プログラム部２１０には、以下の処理部が含まれている。
カード発行情報受信処理部２１１は、客先（カード発行企業）１００のカード発行管理サーバ１１０から、カードプリンタ１０６における、印刷したカードの種類と枚数などの「カード発行完了済みデータ」を受信する処理を行う。また、「カード発行完了済みデータ」をデータベース２３０に記録する処理を行う。なお、「カード発行完了済みデータ」には、カードプリンタに予め保持されたカード枚数と、印刷カード枚数と、正常に印刷され発行されたカード枚数の情報が含まれている場合もある。
【００６１】
課金及び請求処理部２１２は、カード発行管理サーバ１１０から受信した「カード発行完了済みデータ」を基に、課金処理を行うとともに、求めた課金額を請求情報として、カード発行管理サーバ１１０に通知する請求処理を行う。なお、この請求処理は、月末などに月ぎめで行うようにしてもよい。
課金自動引落処理部２１３は、客先（カード発行企業）１００の指定日座から請求処理された金額の自動引き落とし処理を行う。
【００６２】
請求報告処理部２１４は、請求報告データを客先のカード発行管理サーバ１１０に送信する処理を行う。
貸与システム管理処理部２１５は、客先（カード発行企業）１００に貸与したカードプリンタ１０６及びカード発行管理サーバ１１０からの稼動状態や保守情報を受信し、不具合が発生していないかどうか、消耗品などの補給が必要かどうかの監視を行う。また、カード発行管理サーバ１１０から受信した、カード印刷枚数と、正常に発行されたカード発行枚数の差分から、カードプリンタの保守が必要かどうかの判定も行う。
【００６３】
なお、データベース１３０には、客先（カード発行企業）１００に貸与したカード発行システムの情報が記録されている他、客先（カード発行企業）１００のカード発行管理サーバ１１０から受信した「カード発行完了済みデータ」、「カード発行完了済みデータ」を基に算出した課金情報、客先（カード発行企業）１００への請求と決済情報などが記録されている。
【００６４】
なお、処理プログラム部２１０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cathode Ray Tube）や液晶表示装置等のことをいう。
【００６５】
また、カード発行管理サーバ１１０内の処理プログラム部１２０、及びカード発行システム管理サーバ２０１内の処理プログラム部２１０の機能を実現するためのプログラムをコンピュータ読み取り可能な記録媒体に記録して、この記録媒体に記録されたプログラムをコンピュータシステムに読み込ませ、実行することにより本発明に必要な処理を行ってもよい。なお、ここでいう「コンピュータシステム」とは、ＯＳや周辺機器等のハードウェアを含むものとする。
【００６６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間の間、動的にプログラムを保持するもの(伝送媒体ないしは伝送波)、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００６７】
以上、本発明の実施の形態について説明したが、本発明のカード発行システムは、上述の図示例にのみ限定されるものではなく、本発明の要旨を逸脱しない範囲内において種々変更を加え得ることは勿論である。
【産業上の利用可能性】
【００６８】
本発明は、客先（カード発行企業）で発行したカードの種類及び数量に基づき、それに見合った請求金額をオンラインで算出し、課金と請求をオンラインで自動的に処理することができる効果を有し、カード発行システム、カード発行方法、及びプログラム等に有用である。
【図面の簡単な説明】
【００６９】
【図１】本発明によるカード発行システムの概要を説明するための図である。
【図２】本発明のカード発行システムにおける処理の概要について説明するための図である。
【図３】サーバの構成例を示す図である。
【符号の説明】
【００７０】
１  通信ネットワーク
１００  客先（カード発行企業）
１０１  カード発行システム
１０２  生カード
１０３  運用者
１０４  消耗品
１０５  端末
１０６  カードプリンタ
１１０  カード発行管理サーバ
１１１  制御部
１１２  通信用インタフェース
１２０  処理プログラム部
１２１  保持カード枚数記憶処理部
１２２  印刷カード枚数計数処理部
１２３  発行カード枚数計数処理部
１２４  カード発行情報通知処理部
１２５  課金情報受信処理部
１２６  カード発行申込受付処理部
１２７  カードプリンタ制御処理部
１２８  稼動状態通知処理部
１２９  保守情報通知処理部
１３０  データベース
２００  カードサービス業者
２０１  カード発行システム管理サーバ（カードサービス業者のサーバ）
２０３  通信用インタフェース
２１０  処理プログラム部
２１１  カード発行情報受信処理部
２１２  課金及び請求処理部
２１３  課金自動引落処理部
２１４  請求報告処理部
２１５  貸与システム管理処理部
２３０  データベース
３００  ユーザ
３０１  ユーザ端末
【図１】
2005276087.tif 000003
【図２】
2005276087.tif 000004
【図３】
2005276087.tif 000005